(57)【要約】【課題】トイレブース１等のブースの出入り口Ｅに設けられる円弧状ドア装置において、円弧軌跡Ｘを描いて開閉移動する戸体５の戸先側端縁部を、出入り口Ｅの戸先側に配される戸当り８により安定した状態で確実に受け止める。【解決手段】閉鎖する戸体５の戸先側端縁部が当接する戸当り８を、上端縁部が吊りレール７に支持され、下端縁部が躯体側に支持されたものにすると共に、戸体５の円弧軌跡Ｘを横切っていて閉鎖戸体の戸先側端縁部が当接する戸当り面８ｇが設けられたものにして、戸体５を面当接状に受け止めるようにする。【選択図】図８
2019148137.tif 000002
【特許請求の範囲】
【請求項１】
ブース前部に配される戸先側、戸尻側の両前面パネル体のあいだに形成される出入り口を開閉するためのブース用の円弧状ドア装置であって、
該円弧状ドア装置は、出入り口をスライド移動して開閉する円弧状の戸体と、出入り口の上部からブース内上部に至るよう配され、前記戸体を吊持する状態で前記円弧状戸体の開閉スライド移動を円弧軌跡を描く状態で案内する円弧状の吊りレールとを備え、
閉鎖した戸体の戸先側端縁部が当接して受けるため設けられる戸当りを、上端縁部が吊りレールに支持され、下端縁部が躯体側に支持されたものにすると共に、戸当りには、戸体の円弧軌跡を横切っていて閉鎖戸体の戸先側端縁部が当接する戸当り面が設けられたもので構成していることを特徴とするブース用の円弧状ドア装置。
【請求項２】
戸当り面は、戸尻側がブース奥側に傾斜するよう設けられていることを特徴とする請求項１記載のブース用の円弧状ドア装置。
【請求項３】
閉鎖戸体の戸先側端縁部と戸先側前面パネル体の戸尻側端縁部とのあいだの隙間を通してのブース内への視認が、戸体の戸先側端縁部が戸当り面に当接することで遮蔽されることを特徴とする請求項１または２記載のブース用の円弧状ドア装置。
【請求項４】
戸当りは、前側辺部と、奥側辺部と、前側および奥側の両辺部の戸尻側端縁部同士を連結する連結辺部とを備えた中空状に形成され、連結辺部に戸当り面が形成されていることを特徴とする請求項１乃至３の何れか１記載のブース用の円弧状ドア装置。
【請求項５】
連結辺部には、戸体に設けた施錠具の錠受け体が戸当り面よりもブース奥側に位置する状態で設けられていることを特徴とする請求項４記載のブース用の円弧状ドア装置。
【発明の詳細な説明】
【技術分野】
【０００１】
本発明は、トイレブースやシャワーブース等の仕切られた（区画された）ブース（部屋）の出入り口に建て付けられるブース用の円弧状ドア装置の技術分野に関するものである。
【背景技術】
【０００２】
今日、トイレブース等の仕切られたブースの出入り口に建て付けられるドア装置として円弧状の戸体を円弧軌跡に沿って左右方向にスライド移動させることで出入り口の開閉をするようにした所謂円弧状ドア装置が提唱されている。このような円弧状ドア装置は、出入り口を開放したときに戸体をブース室内に引き入れた状態にできることから、通常の左右スライド式のドア装置の場合に比して、出入り口の左右幅を広く確保しながらブースの左右幅を小さいものにできる、という利点がある。そしてこの場合に、左右直線状に移動するスライド式のドア装置では、閉鎖時の戸体の負荷を戸先側端縁部に設けた戸当りで受止めることになるが、このためには、戸当りの強度を、受止め負荷に十分耐え得るものにしなければならないが、このことは円弧状ドア装置の戸体においても同様である。
このため円弧状ドア装置において、戸体がブース構成部材である前面パネルと側面パネルとのコーナー部を円弧軌跡に沿って左右スライド移動する構成のものである場合、全閉時の戸先側端縁部の移動方向を、前面パネル体の左右パネル面方向と平行状（同じ方向、接線方向）にすることで、戸体の戸先側端縁部の戸当り角度を直角状にして受けることができる（例えば特許文献１参照。）。
しかしながら出入り口が、前記特許文献１のようにコーナー部でなく、左右に設けられた前面パネル体間に設けられたものである場合、戸体の移動方向は、戸先側の前面パネル体に対してブース内に引き込む（入り込む）方向の円弧軌跡になるため、単純に直線状にスライド移動するドア装置の戸当りをそのまま採用したときに、戸体の戸先側端縁部を好ましい戸当り角度で受け止めることができない。
そこで戸先側の前面パネル体と側面パネル体とのコーナー部を、隣接するブース側に向いた円弧状とし、該円弧状部位に戸当りを設けて閉鎖時の戸体を直角状に受けるようにしたものが提唱されている（例えば特許文献２参照。）が、このものはブースを構成するパネル体が円弧状という特殊な形状にしなければならないことになってブース自体の汎用性が欠ける等の問題がある。
これに対し、戸先側端縁部を、前面パネル体の戸尻側端部から突設した棒状の戸当り部材で受けるようにしたものが提唱されている（特許文献３参照。）。
【先行技術文献】
【特許文献】
【０００３】
【特許文献１】実開平５−９４４９０号公報
【特許文献２】特開２０１６−２０６０２号公報
【特許文献３】特開平１１−７１９２３号公報
【発明の概要】
【発明が解決しようとする課題】
【０００４】
ところが前記特許文献３のものは、戸先側前面パネル体に設けた棒状の戸当りに対して戸体の戸先側端縁部が当接して受け止めるものであるため、戸当りの戸体の戸先側先端部に対する当接が線状になって安定性に欠け、確実な受け止め支持ができないだけでなく、戸当りに戸体が当接したときの衝撃力を、戸先側前面パネル体の戸当り取付け部位で受けることになり、この結果、該戸当り取付け部位に集中的な負荷が働くことになって、戸先側正面パネル体について、少なくとも該部位の強度アップが図られたものを採用する必要があって汎用性に欠けることになるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ブース前部に配される戸先側、戸尻側の両前面パネル体のあいだに形成される出入り口を開閉するためのブース用の円弧状ドア装置であって、該円弧状ドア装置は、出入り口をスライド移動して開閉する円弧状の戸体と、出入り口の上部からブース内上部に至るよう配され、前記戸体を吊持する状態で前記円弧状戸体の開閉スライド移動を円弧軌跡を描く状態で案内する円弧状の吊りレールとを備え、閉鎖した戸体の戸先側端縁部が当接して受けるため設けられる戸当りを、上端縁部が吊りレールに支持され、下端縁部が躯体側に支持されたものにすると共に、戸当りには、戸体の円弧軌跡を横切っていて閉鎖戸体の戸先側端縁部が当接する戸当り面が設けられたもので構成していることを特徴とするブース用の円弧状ドア装置である。
請求項２の発明は、戸当り面は、戸尻側がブース奥側に傾斜するよう設けられていることを特徴とする請求項１記載のブース用の円弧状ドア装置である。
請求項３の発明は、閉鎖戸体の戸先側端縁部と戸先側前面パネル体の戸尻側端縁部とのあいだの隙間を通してのブース内への視認が、戸体の戸先側端縁部が戸当り面に当接することで遮蔽されることを特徴とする請求項１または２記載のブース用の円弧状ドア装置である。
請求項４の発明は、戸当りは、前側辺部と、奥側辺部と、前側および奥側の両辺部の戸尻側端縁部同士を連結する連結辺部とを備えた中空状に形成され、連結辺部に戸当り面が形成されていることを特徴とする請求項１乃至３の何れか１記載のブース用の円弧状ドア装置である。
請求項５の発明は、連結辺部には、戸体に設けた施錠具の錠受け体が戸当り面よりもブース奥側に位置する状態で設けられていることを特徴とする請求項４記載のブース用の円弧状ドア装置である。
【発明の効果】
【０００６】
請求項１の発明とすることにより、円弧状の戸体、吊りレールを備えたブース用の円弧状ドア装置において、戸体が閉鎖する際に戸体の戸先側端縁部が当接して受け止めるための戸当りが、上端縁部が吊りレールに支持され、下端縁部が躯体側に支持されることで強度的に強いものにでき、しかも戸体の円弧軌跡を横切る状態の広い面として設けられることができる戸当り面が閉鎖した戸体を受け止めることになって、安定した確実性のある戸当りが、殊更戸先側前面パネル体を補強することなくできることになる。
請求項２の発明とすることにより、戸当り面が、戸尻側がブース奥側に傾斜した状態になって戸体の円弧軌跡に対して強度的に有利な戸当り角度を有したものにでき、安定した戸体受止めができることになる。
請求項３の発明とすることにより、閉鎖戸体の戸先側端縁部と戸先側前面パネル体の戸尻側端縁部とのあいだにある隙間を通してのブース内への視認が、戸体の戸先側端縁部が戸当り面に当接することで遮蔽されるため、別途遮蔽部材を用いることなく、防犯性が優れたものになる。
請求項４の発明とすることにより、戸当りが、前側辺部と、奥側辺部と、前側辺部、奥側辺部の戸尻側端縁部同士を連結する連結辺部とを備えた中空状のもので形成されているため、強度的に強いものになってより安定した戸当りとすることができる。
請求項５の発明とすることにより、戸当り面が形成される連結辺部に施錠具の錠受け体が設けられるため、構造の簡略化が図れることになる。
【図面の簡単な説明】
【０００７】
【図１】（Ａ）（Ｂ）はトイレブースの正面図、側面図である。
【図２】トイレブースの平面図である。
【図３】トイレブースの戸体を省略した概略分解斜視図である。
【図４】円弧状ドア装置の平面図である。
【図５】（Ａ）（Ｂ）は吊りローラ部位の正面図、吊りローラ部位の縦断面図である。
【図６】戸当り部位の背面図である。
【図７】戸体がない状態を示す戸先側部位の平面図である。
【図８】戸体が閉鎖した状態を示す戸先側部位の平面図である。
【図９】戸当りの平面図である。
【図１０】第二の実施の形態を示す戸当りの施錠部位を示す平面図である。
【発明を実施するための形態】
【０００８】
以下、本発明の実施の形態について、図面に基づいて説明する。図面において、１はトイレブースであって、該トイレブース１は、左右に複数が隣接する状態で設けられたものであり、出入り口（開口）Ｅを構成すべく前面（正面）に左右間隙を存する状態で設けられる戸先側、戸尻側の前面パネル体２、３と、これら前面パネル体２、３が先端部（前端部）に設けられていてこれら前面パネル体２、３とトイレブース奥端の壁等の躯体面Ｗとのあいだを仕切る側面パネル体４とを備えることで平面視で矩形状に形成されていること等は何れも従来通りである。
尚、本実施の形態ではトイレブース１が左右に隣接されるものでありこの場合、隣接するトイレブース１間を仕切る側面パネル体４の先端部に設けられる中間の戸先側、戸尻側の前面パネル体２、３同士は左右に連続した一体もので構成され、端側の前面パネル体２、３は各別なもので構成されている。また、本実施の形態では、図２における左側のトイレブース１の左側面は、側面パネル４ではなく壁等の躯体面Ｗで形成されているが、これらの構成については必要において適宜実施できるものであることは言うまでもない。
【０００９】
５は平面視で円弧形状をした戸体であって、該戸体５は、戸体５の左右上端縁部に設けたブラケット６ａから上方に突出する状態でハンガーローラ（吊りローラ）６が設けられるが、該ハンガーローラ６が転動することで移動案内される吊りレール（ハンガーレール、案内レール）７は、前記戸体５の円弧形状に沿うよう円弧状をし、出入り口Ｅの上方とトイレブース１内に入り込む状態において左右方向一方（戸尻側）の側面パネル４の上端部とに亘るよう配設されている。因みに本実施の形態の吊りレール７は、戸先側前面パネル体２に設けたブラケット７ａ、戸尻側前面パネル体３に設けたブラケット７ｂ、側面パネル体４（あるいは躯体面Ｗ）に設けた前後一対のブラケット７ｃ、７ｄに止着されることで取付けられている。そして前記ハンガーローラ６が吊りレール７を水平方向に転動することにより、戸体５は左右方向にスライド移動して前記出入り口Ｅを閉鎖する閉鎖姿勢と、トイレブース１の戸尻側側面パネル体４側のトイレブース１内に入り込む状態になって出入り口Ｅを開放（開口）する開放姿勢とに変姿するようになっている。尚、Ｔはトイレブース１内に設けられる便器、Ｓは吊りレール６と戸体５とのあいだの前面側部位を塞ぐ塞ぎ板である。
さらに戸体５の戸先側端部、戸尻側端部にはそれぞれ戸体５用の端部材（エッジ部材）１５、１６が設けられ、これら端部材１５、１６にはゴム質弾性を有した緩衝材１５ａ、１６ａがさらに設けられている。
【００１０】
トイレブース１には、戸体５が閉鎖した際に戸体５の戸先側端縁部が当接して受ける戸当り８、戸体５の下端縁部に形成されたガイド溝（軌道）５ａに嵌入（係合）して戸体５の振れ止めガイドをするため戸尻側前面パネル体３にブラケット９ａを介して設けられるガイド体（ガイドローラ、振れ止めローラ）９、戸体５が全開するときの衝撃を緩衝するべく吊りレール７の戸尻側端部に設けられる緩衝部材１０を備えている。尚、緩衝部材１０は必要において戸先側に設けてもよいことは勿論である。
【００１１】
前記戸当り８は、上下端部が躯体側である吊りレール７、床面Ｆに至る長さに設定され、後述するよう中空状になった内筒部に内嵌した有底（天）状の取付け具８ａを介して吊りレール７、床面Ｆに固定することで取付けられるようになっている。尚、８ｂは取付け具８ａを固定するためのビスである。
そして戸当り８は、戸先側前面パネル体２に対して戸尻側かつブース奥側に位置し、戸体５が開閉移動する円弧軌跡Ｘを径方向に横切るようにして戸体５よりも幅広の状態で配されているが、該戸当り８は、ブース前側に位置する前側辺部８ｃと、ブース奥側に位置する奥側辺部８ｄと、これら辺部８ｃ、８ｄの戸尻側端縁部同士を連結する連結辺部８ｅとを備えて中空状に形成されるが、本実施の形態では、これら三辺部８ｃ、８ｄ、８ｅにより略三角形の中空状になっており、その中空筒内にはこれら三辺部８ｃ、８ｄ、８ｅに連結する状態で円筒状の内辺部８ｆが形成されている。そしてこの内辺部８ｆに前記取付け具８ａが内嵌することになるが、該内嵌した取付け具８ａは、本実施の形態では奥側辺部８ｄと連結辺部８ｅから螺入したビス８ｂによって戸当り８に対する回り止めがなされるように構成されている。
【００１２】
さらに戸当り８には閉鎖する戸体５の戸先側端縁部が当接して受けるための戸当り面（当接面部）８ｇが設けられるが、該戸当り面８ｇは、前記戸先側端部材１５に設けた緩衝材１５ａが当接するよう連結辺部８ｅに前記円弧軌跡Ｘを径方向に向いて横切る状態で凹陥状に形成されている。この場合に連結辺部８ｅは、戸先側が前側で戸尻側がブース奥側に位置するよう傾斜しているものであるため、戸当り面８ｇについても同様に戸尻側がブース奥側に傾斜する（位置する）状態で受け止めるように設定され、これによって戸当り面８ｇに対して円弧軌跡Ｘのなす角度である戸当り角度θが直角若しくはこれに近い角度となるように設定されている。
【００１３】
また、戸体５の戸先側端部のブース内外両側パネル面には把手１３が設けられ、ブース室内側パネル面には施錠用操作具１４が設けられるが、戸体５の閉鎖状態で施錠用操作具１４を操作することにより、図示しない施錠体（施錠ロッド、ラッチ）が吊りレール７側に設けた施錠受け（図示せず）に突出係止し、これにより閉鎖姿勢の戸体５の施錠ができるようになっている。
【００１４】
叙述の如く構成された本実施の形態において、戸体５は、共に円弧状をした吊りレール７に案内される状態で出入り口Ｅとトイレブース１の戸尻側部位に入り込んだ部位との間を左右スライド移動して出入り口Ｅの開閉をすることになるが、戸体５が閉鎖するとき、戸体５の戸先側端縁部は、戸先側前面パネル体２からは独立したものとなって受け止められることになるため、戸先側正面パネル体２に、戸体５の閉鎖時の衝撃が働くことはなく、戸先側正面パネル体２に該衝撃を受けるための補強をする必要がない。
【００１５】
この場合において戸当り８は、上端縁部が吊りレール７に支持され、下端縁部が床面Ｆに支持されることになるから、戸先側前面パネル体２とは独立したものとして設けられることになって、施工性が向上するだけでなく、強度的に優れたものとしての取付けが独立してできることになる。しかもこの場合に、全閉するときの戸体５の戸先側端縁部は、戸体５の円弧軌跡Ｘを径方向に向いて横切るようにして設けられる戸当り面８ｇによって広い面としての当接受止めがなされることになって、安定した確実な戸当りができることになる。
【００１６】
しかもこの場合に、戸当り面８ｇは、戸尻側がブース奥側に傾斜するよう設けられているから、該戸当り面８ｇを、戸体５の戸先側端縁部の円弧軌跡Ｘに対して強度的に有利な戸当り角度（直角又はこれに近い角度）θを有したものに設定できることになって、安定した戸体５の受止めができることになっている。
【００１７】
また戸体５としては、閉鎖したときに戸体５の戸先側端縁部と戸先側前面パネル体２の戸尻側端縁部とのあいだに隙間を存し、この隙間を通してトイレブース１内を視認できる可能性があるが、この隙間は、戸体５の戸先側端縁部に設けた端部材１５が戸体５の全長に亘って戸当り面８ｇに当接することで確実に遮蔽されることなって別途遮蔽部材で塞ぐ必要がないものでありながら防犯性が損なわれることがない。
【００１８】
また戸当り８は、前側辺部８ｃ、奥側辺部８ｄと、これら両辺部８ｃ、８ｄの戸尻側端縁部同士を連結する連結辺部８ｅとを備えて中空状に形成されているため、戸体５を受ける戸当り８として必要な強度を確保できることになって、単に戸当り面８ｇを存した連結辺部８ｅに相当するものだけ形成した場合に比して強度的に有利なものとなる。
【００１９】
尚、本発明は前記実施の形態のものに限定されないものであることは勿論であり、ブース前部に配される戸先側、戸尻側の両前面パネル体２、３のあいだに形成される出入り口Ｅを開閉するためのブース用の円弧状ドア装置において、出入り口Ｅをスライド移動して開閉する円弧状の戸体５と、出入り口Ｅの上部からブース内上部に至るよう配され、前記戸体を吊持する状態で戸体の開閉スライド移動の案内をする円弧状の吊りレール７とを備えたものにおいて、例えば、前記施錠操作具１４の施錠体（施錠ロッド、ラッチ）１４ａに係止する施錠受けについては、吊りレール７側でなく、図１０に示す第２の実施の形態のように、戸当り８の連結部８ｅの戸当り面８ｇよりもブース奥側に設けた施錠受け８ｈに係止する構成にしてもよく、これにより閉鎖姿勢の戸体５の施錠ができるようになっており、このようにした場合には、戸当り８が施錠受け８ｈの取付け部材として兼用化されるだけでなく、施工性の向上にも寄与することができる。
【産業上の利用可能性】
【００２０】
本発明は、トイレブースやシャワーブース等のブース用の円弧状ドア装置に利用することができる。
【符号の説明】
【００２１】
１  トイレブース
２  戸先側前面パネル体
３  戸尻側前面パネル体
５  戸体
６  ハンガーローラ
７  吊りレール
８  戸当り
８ｃ  前側辺部
８ｄ  奥側辺部
８ｅ  連結辺部
８ｇ  戸当り面
８ｈ  施錠受け
１４  施錠用操作具  
Ｅ  出入り口
Ｆ  床面
Ｘ  円弧軌跡
θ  戸当り角度
【図１】
2019148137.tif 000003
【図２】
2019148137.tif 000004
【図３】
2019148137.tif 000005
【図４】
2019148137.tif 000006
【図５】
2019148137.tif 000007
【図６】
2019148137.tif 000008
【図７】
2019148137.tif 000009
【図８】
2019148137.tif 000010
【図９】
2019148137.tif 000011
【図１０】
2019148137.tif 000012